(57)【要約】【課題】    内装壁に対して構造用床板がその内装壁の下側に入り込んだ床板勝ち構造において、床板交換時の施工負担を軽減できる建物の内装壁構造を提供する。【解決手段】  上記の床板勝ち構造において、内装壁(２)を、床板(１)の上に載置される下段内装壁(７)と、その下段内装壁(７)の上に取り付けられる上段内装壁(３)とから構成し、且つ、下段内装壁(７)を、上段内装壁(３)とは別に独立して取り外し可能とした。【選択図】  図１
2005207092.tif 000002
【特許請求の範囲】
【請求項１】
内装壁に対して構造用床板がその内装壁の下側に入り込んだ床板勝ち構造において、前記内装壁を、床板の上に載置される下段内装壁と、その下段内装壁の上に取り付けられる上段内装壁とから構成し、且つ、下段内装壁を、上段内装壁とは別に独立して取り外し可能としたことを特徴とする建物の内装壁構造。
【請求項２】
前記床板の上面には、その床板を躯体へ固定するための固定具若しくは固定金具が収納される凹部が形成されており、この凹部が前記下段内装壁の下端面で覆い隠されている請求項１記載の建物の内装壁構造。
【請求項３】
前記凹部は、ボルト頭部を収納するための座ぐり穴である請求項２記載の建物の内装壁構造。
【請求項４】
前記下段内装壁の高さが、４０ｃｍ〜５０ｃｍとされている請求項１乃至３のいずれかに記載の建物の内装壁構造。
【請求項５】
前記下段内装壁は、その上端から下端にかけて一体的に形成されている請求項１乃至４のいずれかに記載の建物の内装壁構造。
【請求項６】
前記上段内装壁は、その上端から下端にかけて一体的に形成されている請求項１乃至５のいずれかに記載の建物の内装壁構造。
【発明の詳細な説明】
【技術分野】
【０００１】
この発明は、内装壁に対して構造用床板がその内装壁の下側に入り込んだ床板勝ち構造において、床板交換時の施工負担を軽減するための建物の内装壁構造に関する。
【背景技術】
【０００２】
住宅建物の外周部における構造用床板と内装壁との取り合い構造としては、図３に示すように、内装壁(41)に対して床板(１)がその内装壁(41)の下側に入り込んだ床板勝ち構造がある。このような床板勝ち構造において床板(１)を交換する際には、先ず壁クロスを剥がしてから内装壁(41)を取り外した後に床板(１)を取り外し、床板(１)交換後に内装壁(41)を再施工して壁クロスを張り直すといった大掛かりな工事を行わなければならなかった。このような問題に鑑みて、上記のような床板勝ち構造においても、軽微な作業で床板を交換できるようにすることが求められていた。
【０００３】
そこで、特許文献１には、内装壁に対して床暖房用床材がその内装壁の下側に入り込んだ床材勝ち構造において、床材を取り外す際の作業負担を軽減できるような構成が記載されている。この構成では、床材上面と内装壁下面との間に幅木が介在するようになっている。そして、床材及びその床材の下側に敷設された床暖房パネルを取り外してメンテナンスを行う際に、内装壁を取り外さなくても幅木だけを取り外せば、それら床暖房パネル等を取り外すことができるため、メンテナンス時の作業負担が比較的少なくて済むようになっている。
【０００４】
【特許文献１】特開２００１−１８２３０８号公報
【発明の開示】
【発明が解決しようとする課題】
【０００５】
しかし、上記の特許文献１の構成は、構造用床板上に敷設される床暖房パネル等について、その取り外し作業の負担を軽減させるものであって、構造用床板の交換作業についても負担を軽減できるようなものではない。すなわち、特許文献１のような構成にしたとしても、幅木を取り外すだけでは構造用床板を取り外すのに必要な間隙を十分に確保できないため、結局幅木の上側の内装壁をも取り外す必要があり、施工性を改善することはできなかった。
【０００６】
そこで、この発明は、上記の不具合を解消して、内装壁に対して構造用床板がその内装壁の下側に入り込んだ床板勝ち構造において、床板交換時の施工負担を軽減できる建物の内装壁構造を提供することを目的とする。
【課題を解決するための手段】
【０００７】
上記の課題を解決するため、この発明における建物の内装壁構造は、内装壁に対して構造用床板がその内装壁の下側に入り込んだ床板勝ち構造において、前記内装壁を、床板の上に載置される下段内装壁と、その下段内装壁の上に取り付けられる上段内装壁とから構成し、且つ、下段内装壁を、上段内装壁とは別に独立して取り外し可能としたことを特徴とする。なお、ここでいう構造用床板とは、構造材として機能する床板を意味している。
【０００８】
また、前記床板の上面には、その床板を躯体へ固定するための固定具若しくは固定金具が収納される凹部が形成されており、この凹部が前記下段内装壁の下端面で覆い隠されている。具体的に、前記凹部は、ボルト頭部を収納するための座ぐり穴である。
【０００９】
さらに、前記下段内装壁の高さが、４０ｃｍ〜５０ｃｍとされている。またさらに、前記下段内装壁は、その上端から下端にかけて一体的に形成されている。加えて、前記上段内装壁は、その上端から下端にかけて一体的に形成されている。
【発明の効果】
【００１０】
この発明では、上下２段の内装壁のうち下段内装壁が、上段内装壁とは別に独立して取り外し可能となっているため、下段内装壁を取り外せば構造用床板の取り外し作業に必要な間隙が現出される。従って、上段内装壁を設置したままにしておいても、下段内装壁を取り外すだけで容易に床板交換を行うことができる。また、下段内装壁だけを取り外せば良いため、内装壁表面の壁クロスは部分的に張り替えるだけで済む。すなわち、床板交換時において、内装壁全体を一度取り外してから床板交換後に再施工したり、壁クロスを全面に亘って張り替えるといった大掛かりな工事が不要であるため、施工負担を軽減することができる。
【００１１】
また、床板上面に形成された凹部が、下段内装壁の下端面で覆い隠されているため、室内の美感が損なわれることがない。さらに、床板上面の凹部が、ボルト頭部を収納する座ぐり穴である場合は、下段内装壁を取り外すことによって現出される間隙を利用して、ボルトの緩め操作若しくは締め付け操作を容易に行うことができる。
【００１２】
加えて、所要部分の下段内装壁を取り外して、コンセントやエアコンの噴出し口を追加して設けるか、又は、それらコンセント等の配置を変更した下段内装壁を代わりに設置することで、それらコンセント等の増設や配置変更を軽微な工事で容易に行うことができる。また、下段内装壁の内部に配線スペースを設けておけば、下段内装壁を再施工するだけの軽微な工事で、新たな屋内配線を容易に行うことができる。
【００１３】
またさらに、下段内装壁の高さが４０ｃｍ〜５０ｃｍとされているため、下段内装壁を取り外した際に、床板交換作業を容易に行うのに必要最低限の高さの間隙を確保することができる。しかも、その下段内装壁は必要以上に高くないため比較的軽量であり、下段内装壁の取り外し及び再施工の際の重量負担を軽減することができ、床板交換時の施工性を向上させることができる。また、下段内装壁を取り外すのと同時に、汚れやすい壁面下部の壁クロスを張り替えたり、上記のようなコンセント等の配置変更等を行うことができる。
【発明を実施するための最良の形態】
【００１４】
以下、この発明の実施形態を図面に基づいて詳細に説明する。図１は、例えば住宅の２階部分における内装壁構造を示している。図１において、(１)は、ＡＬＣ板その他のコンクリート板からなる構造用床板を示している。この構造用床板(１)は、構造材として機能するものであり、構造用床板(１)の上面には、床材(40)が敷設されている。
【００１５】
また、構造用床板(１)上面には、所定位置に座ぐり穴(25)が形成されている。その座ぐり穴(25)底部には、構造用床板(１)を上下方向に貫通するボルト挿通穴(31)が設けられている。
【００１６】
そして、構造床板(１)は、ボルト挿通穴(31)に差し込まれた固定ボルト(28)によって、例えばＨ形鋼からなる梁(20)上に固定されている。このように構造用床板(１)が設置された状態において、ボルト(28)の頭部は、座ぐり穴(25)の内部に収納されるようになっている。
【００１７】
なお、固定ボルト(28)は、図示するように直接梁(20)に差し込んで固定しても良いし、梁(20)に取り付けられた固定金具等に差し込んで間接的に梁(20)に固定しても良いものとする。
【００１８】
また、構造用床板(１)は、上記の梁(20)以外の躯体に支持されるようにしても良く、例えば、１階部分の構造用床板については、基礎の上に支持されるようにしても良い。
【００１９】
さらに、構造用床板(１)を梁(20)その他の躯体へ固定する固定手段は上記構成に限られず、例えば、１階部分の構造用床板の場合は、基礎に取り付けられたアンカーボルトを下側から構造用床板に差し込んで、そのアンカーボルト先端に上側からねじ込んだナットを締め付けて固定することが考えられる。
【００２０】
またさらに、構造用床板(１)の躯体への固定には、ボルト以外の固定具若しくは固定金具を用いるようにしても良い。加えて、構造用床板(１)上面には、座ぐり穴(25)以外の凹部が形成されていても良く、その床板(１)上面の凹部に、上記のような固定具若しくは固定金具が収納されるようになっていれば良い。
【００２１】
上記の梁(20)上には、例えば２階部分の外壁パネル(14)を支持する軸組(11)が設置されている。軸組(11)は、複数の縦枠材(12)(12)と複数の横枠材(13)(13)とが連結されてなっている。なお、縦枠材(12)及び横枠材(13)としては、例えば溝形鋼が用いられている。
【００２２】
外壁パネル(14)は、図示しない固定金具その他の固定手段によって軸組(11)に固定されている。なお、外壁パネル(14)としては、例えば軽量コンクリート板が用いられている。また、図において、(21)は、１階部分の外壁パネル(24)を支持する軸組を示しており、１階部分の軸組(21)も、２階部分の軸組(11)と同様に、複数の縦枠材(22)(22)と複数の横枠材(23)(23)とが連結されてなっている。
【００２３】
構造用床板(１)の上には、内装壁(２)が設置されており、内装壁(２)に対して構造用床板(１)がその内装壁(２)の下側に入り込んだ床板勝ち構造となっている。内装壁(２)は、床板(１)の上に載置される下段内装壁(７)と、その下段内装壁(７)の上に取り付けられる上段内装壁(３)とからなっている。
【００２４】
上段内装壁(３)は、縦方向及び横方向の複数の枠材(15)(15)…が連結されてなる例えば矩形の内壁枠(５)と、この内壁枠(５)の内部に装着された断熱材(６)と、同じく内壁枠(５)の室内側に張り付けられた石膏ボード(４)とからなっている。上段内装壁(３)は、その上端から下端にかけて一体的に形成されている。
【００２５】
なお、内壁枠(５)の枠材(15)としては、木製の角材を用いているが、鋼材を用いるようにしても良い。また、断熱材(６)としては、グラスウール若しくはロックウールなどが好適に用いられる。石膏ボード(４)は、図示しないビスその他の固定具により内壁枠(５)の枠材(15)に固定されている。
【００２６】
上段内装壁(３)は、図示しない固定金具その他の固定手段によって軸組(11)に固定されている。ただし、上段内装壁(３)は、軸組(11)以外の梁その他の躯体に支持されるようにしても良い。
【００２７】
下段内装壁(７)は、縦方向及び横方向の複数の枠材(15)(15)…が連結されてなる例えば矩形の内壁枠(８)と、この内壁枠(８)の内部に装着された断熱材(６)と、同じく内壁枠(８)の室内側に張り付けられた石膏ボード(10)とからなっている。下段内装壁(７)は、その上端から下端にかけて一体的に形成されている。ここで、下段内装壁の高さ(Ｈ)は、４０ｃｍ〜５０ｃｍとなっているが、必ずしもこの範囲に限定されないものとする。
【００２８】
下段内装壁(７)は、図示しない固定金具その他の固定手段によって軸組(11)に固定されている。ただし、下段内装壁(７)は、上段内装壁(３)とは別に独立して固定されている。また、下段内装壁(７)は、必ずしも軸組(11)に固定しなくても良いものとする。
【００２９】
このような設置状態において、上記の構造用床板(１)の座ぐり穴(25)は、下段内装壁(７)の下端面で覆い隠されるようになっており、室内の美感が損なわれないようになっている。また、設置状態において、上段内装壁(３)は、下段内装壁(７)上に載置された状態となっている。
【００３０】
さらに、上段内装壁(３)の石膏ボード(４)と、下段内装壁(７)の石膏ボード(10)とは、室内側の表面が略同一面となっている。これら上段内装壁(３)及び下段内装壁(７)の石膏ボード(４)(10)の室内側表面には、図示しない壁クロスが張り付けられている。なお、下段内装壁(７)下端部の室内側表面と床材(40)上面とのコーナー部分には、幅木(18)が設置されている。
【００３１】
図２に示すように、下段内装壁(７)は、上段内装壁(３)とは別に独立して取り外し可能となっている。そして、下段内装壁(７)を取り外すと、構造用床板(１)を取り外すのに必要な間隙(35)が現出されるようになっている。また、構造用床板(１)を固定しているボルト(28)の緩め操作や締め付け操作は、その間隙(35)を利用して行うことができるため、構造用床板(１)の取り外し作業及び取付け作業を良好に行うことができる。
【００３２】
ここで、下段内装壁(７)の高さ(Ｈ)が４０ｃｍ〜５０ｃｍとされているため、その下段内装壁(７)を取り外した際に、床板(１)交換作業を容易に行うのに必要最低限の高さの間隙(35)が確保されるようになっている。また、その間隙(35)は、ボルト(28)操作を行うのに十分な高さとなっている。しかも、下段内装壁(７)は必要以上に高くないため比較的軽量であり、下段内装壁(７)を取り外す際の重量負担を軽減することができ、床板(１)交換時の施工性を向上させることができる。
【００３３】
従って、構造用床板(１)を交換する際は、上段内装壁(３)は取り外すことなく設置したままの状態にしておいても、下段内装壁(７)のみを取り外すことによって、構造用床板(１)の取り外し作業及び取付け作業が容易に行えるようになっている。
【００３４】
また、このようにして下段内装壁(７)を取り外した際に、元々設置されていた下段内装壁(７)に代えて、新たにコンセントやエアコンの噴出し口を設置するか、又は、それらコンセント等を配置変更して設けた下段内装壁(７)を設置することで、コンセント等の増設や配置変更を容易に行うことができる。
【００３５】
さらに、下段内装壁(７)に、配線スペースを設けておくようにしても良く、その場合は、下段内装壁(７)を再施工するだけの軽微な工事で、新たな屋内配線を容易に行うことができる。
【００３６】
なお、上記においては、上段内装壁(３)が一体的に形成されているが、上段内装壁(３)をさらに上下に分割して、それらのうちの上側部分を、下側部分に対して独立して軸組(11)から取り外し可能にすることも考えられる。その場合、上段内装壁(３)の上側部分を取り外すことで、天井部材を取り外すのに必要な間隙が現出されるようになり、天井部材交換作業の負担を軽減することができる。
【００３７】
この発明は、上記実施形態に限定されるものではなく、この発明の範囲内で上記実施形態に多くの修正及び変更を加え得ることは勿論である。
【図面の簡単な説明】
【００３８】
【図１】この発明の一実施形態に係る建物の内装壁構造を示す断面図である。
【図２】同じくその下段内装壁を取り外した状態を示す断面図である。
【図３】従来の建物の内装壁構造を示す断面図である。
【符号の説明】
【００３９】
(１)  構造用床板
(２)  内壁
(３)  上段内装壁
(７)  下段内装壁
(20)  躯体(梁)
(25)  座ぐり穴(凹部)
(28)  ボルト
【図１】
2005207092.tif 000003
【図２】
2005207092.tif 000004
【図３】
2005207092.tif 000005